(57)【要約】【課題】スイッチの誤検出を防止する。【解決手段】イヤホンと、マイクロホンと、イヤホンスイッチと、を有するイヤホンマイクの多極プラグが多極コネクタに接続される情報処理装置は、イヤホンスイッチ検出部３００を備える。イヤホンスイッチ検出部３００は、マイク端子の電圧に基づき、イヤホンスイッチの操作の有無を判断するＨｉ／Ｌｏｗ用閾値と、イヤホンスイッチのＯＮ状態に相当するイベント検出時のマイク端子の電圧に基づき、多極プラグが多極コネクタに半挿入状態となった際のイヤホンスイッチの誤検出を判断する所定電圧に設定した誤検出防止用閾値と、に基づき、イヤホンスイッチの操作の有無を判断する。【選択図】図３Ａ
2017085253.tif 000002
【特許請求の範囲】
【請求項１】
イヤホンと、マイクロホンと、イヤホンスイッチと、を有するイヤホンマイクの多極プラグが多極コネクタに接続される情報処理装置において、
マイク端子の電圧に基づき、前記イヤホンスイッチの操作の有無を判断する第１の閾値と、
前記イヤホンスイッチのＯＮ状態に相当するイベント検出時の前記マイク端子の電圧により、前記多極プラグが前記多極コネクタに半挿入状態となった際の前記イヤホンスイッチの誤検出を判断する所定電圧に設定した第２の閾値と、
に基づき、前記イヤホンスイッチの操作の有無を判断するイヤホンスイッチ検出部、
を備えたことを特徴とする情報処理装置。
【請求項２】
前記イヤホンスイッチ検出部は、
前記第２の閾値を、前記多極プラグが前記多極コネクタに正常挿入状態で前記イヤホンスイッチのＯＮ時に検出される前記マイク端子の電圧と、前記半挿入状態の時に検出される前記マイク端子の電圧との間の電圧に設定した、
ことを特徴とする請求項１に記載の情報処理装置。
【請求項３】
前記イヤホンスイッチ検出部は、
前記イベントを、前記イヤホンマイクの前記多極プラグが前記多極コネクタから抜去された際の前記多極プラグのＧＮＤ端子の電圧変化に基づき検出する監視部を備えた、
ことを特徴とする請求項１または２に記載の情報処理装置。
【請求項４】
前記イヤホンスイッチ検出部は、
前記第２の閾値を用いた前記イヤホンスイッチの操作の有無の判断時に、一時的に前記マイク端子の印加電圧を所定分上昇させ、前記第２の閾値との間にマージンをもたせる電圧制御部を有する、
ことを特徴とする請求項２または３に記載の情報処理装置。
【請求項５】
前記イヤホンスイッチ検出部は、
前記イヤホンマイクの前記多極プラグが前記多極コネクタから抜去された際にチャタリング除去処理を行い、
前記チャタリング除去処理後に、前記電圧制御部により一時的に前記マイク端子の電圧を上昇させた期間中に前記イヤホンスイッチの操作の有無を判断する、
ことを特徴とする請求項４に記載の情報処理装置。
【請求項６】
前記イヤホンスイッチ検出部は、
前記イヤホンマイクの前記多極プラグが前記多極コネクタから抜去された際の前記チャタリング除去処理の前後における前記多極プラグのＧＮＤ端子の電圧変化の有無に対応した誤検出フラグを設定し、
前記マイク端子の電圧に対する前記第１の閾値を用いた判断結果と、前記誤検出フラグと、前記マイク端子の電圧に対する前記第２の閾値を用いた判断結果と、に基づき、前記イヤホンスイッチの誤検出を判断する、
ことを特徴とする請求項５に記載の情報処理装置。
【請求項７】
前記イヤホンスイッチは、前記マイクロホンおよび前記イヤホンに対し、共通のＧＮＤで並列接続され、
前記多極コネクタの半挿入状態により、前記イヤホンスイッチ検出部は、
前記多極コネクタのＧＮＤ端子に前記多極プラグの一方のステレオイヤホン接点が接触し、前記多極コネクタのマイク端子に前記多極プラグの他方のステレオイヤホン接点が接触することで前記マイク端子電圧の低下を検出し、
および、前記多極コネクタのＧＮＤ端子に前記多極プラグの一方のステレオイヤホン接点が接触し、前記多極コネクタの前記マイク端子に前記多極プラグのＧＮＤ接点が接触することで前記マイク端子電圧の低下を検出する、
ことを特徴とする請求項１〜６のいずれか一つに記載の情報処理装置。
【請求項８】
前記イヤホンスイッチ検出部は、
前記判断結果として、前記イヤホンスイッチの操作の有無を情報処理装置内の通話制御部に通知する通知部を有し、
前記通話制御部は、通知された前記イヤホンスイッチの操作の有無に基づき通話制御を行うこと、
を特徴とする請求項１〜７のいずれか一つに記載の情報処理装置。
【発明の詳細な説明】
【技術分野】
【０００１】
本発明は、スイッチの誤検出を防止する情報処理装置に関する。
【背景技術】
【０００２】
スイッチの誤検出を防止する技術として、例えば、マイクとイヤホン、イヤホンスイッチと多極プラグを有するヘッドセット等のイヤホンマイクにおいて、イヤホンスイッチのＯＮ／ＯＦＦ検出を行うものがある（例えば、下記特許文献１参照。）。
【０００３】
イヤホンマイク検出は、イヤホン端子の電圧レベルによって、装置（多極コネクタ）に対するイヤホン（多極プラグ）の挿入の有無を検出する。多極プラグおよび多極コネクタは、４極構成の場合、マイク（ＭＩＣ）、イヤホンＨＰＬ（ステレオＬ側）、イヤホンＨＰＲ（ステレオＲ側）、ＧＮＤ（ＤＥＴ）の各接点（端子）を有する。
【０００４】
また、装置に対するイヤホンマイクの装着の検出後、イヤホンスイッチの有無をＭＩＣ端子の電圧レベルに基づき判別する。イヤホンスイッチを有する場合には、イヤホンスイッチをＯＮにした際のＭＩＣ端子の電圧レベルの変化により、イヤホンスイッチのＯＮ／ＯＦＦを検出している。
【０００５】
これら、イヤホン検出およびイヤホンスイッチ検出に関して、ソフトウェアによりチャタリング除去を行う技術があり、例えば１００ｍｓ以内の一瞬の電圧レベルの変化は無効とすることで誤検出を防止している。
【先行技術文献】
【特許文献】
【０００６】
【特許文献１】特開２００２−２０９００５号公報
【発明の概要】
【発明が解決しようとする課題】
【０００７】
しかし、従来技術では、装置（多極コネクタ）に対するイヤホンマイクの多極プラグの挿入状態が変化した時、イヤホンスイッチのＯＮ／ＯＦＦを誤検出することがあった。例えば、多極プラグが正常挿入状態から半挿入状態にすばやく（チャタリング除去時間内で）変化した場合、イヤホン検出端子での電圧レベル変化（Ｌｏｗ→Ｈｉ→Ｌｏｗ）はチャタリング除去により無視されてしまう。この場合、イヤホン（多極プラグ）が半挿入状態であるが、装置は接続状態であると検出する。
【０００８】
半挿入状態とは、多極コネクタから多極プラグが完全に（外部に）抜去されていない状態であり、多極コネクタ内に多極プラグが位置しており、多極コネクタの接点が多極プラグの他の接点（挿入時に接触する接点と異なる他の接点）と接触している等の状態を指す。
【０００９】
また、多極プラグの半挿入状態において、コネクタのＭＩＣ端子がイヤホンプラグのＤＥＴ／あるいはＨＰＲに接続されると、電圧レベルがイヤホンスイッチをＯＮにした状態と同じになる場合が生じる。この場合、装置側のイヤホンスイッチ検出処理では、イヤホンスイッチが実際にはスイッチ操作（ＯＮ）されていなくても、スイッチＯＮされたものと誤検出する。
【００１０】
このようなイヤホンスイッチの誤検出は、装置動作に影響を与える。例えば、ユーザが装置としてのスマートフォンにイヤホンマイクを装着し、多極プラグをスマートフォンの多極コネクタに挿入した状態で音楽視聴している状態を想定する。この音楽視聴中に電話着信があった際、ユーザがスマートフォンを耳に当てて通話するスタイルに切り替えるため、多極プラグを多極コネクタから抜去する。この際、多極プラグを多極コネクタから慎重にゆっくりと抜去させた時、上記の半挿入状態が生じ、イヤホンスイッチのスイッチ操作を誤検出することがある。この場合、音声通話中に多極プラグを抜去しただけでイヤホンスイッチが操作（ＯＮ）されたものと誤判断し、スマートフォンが通話切断処理する等の恐れが生じる。
【００１１】
一つの側面では、本発明は、スイッチの誤検出を回避することを目的とする。
【課題を解決するための手段】
【００１２】
一つの案では、情報処理装置は、イヤホンと、マイクロホンと、イヤホンスイッチと、を有するイヤホンマイクの多極プラグが多極コネクタに接続される情報処理装置において、マイク端子の電圧に基づき、前記イヤホンスイッチの操作の有無を判断する第１の閾値と、前記イヤホンスイッチのＯＮ状態に相当するイベント検出時の前記マイク端子の電圧により、前記多極プラグが前記多極コネクタに半挿入状態となった際の前記イヤホンスイッチの誤検出を判断する所定電圧に設定した第２の閾値と、に基づき、前記イヤホンスイッチの操作の有無を判断するイヤホンスイッチ検出部、を備えたことを要件とする。
【発明の効果】
【００１３】
一つの実施形態によれば、スイッチの誤検出を防止できる効果を奏する。
【図面の簡単な説明】
【００１４】
【図１】図１は、実施の形態１にかかるイヤホンマイクの挿入状態を示す断面図である。
【図２】図２は、実施の形態１にかかるイヤホンマイクの回路接続構成を示す図である。
【図３Ａ】図３Ａは、実施の形態１にかかるイヤホンスイッチ検出部の内部構成例を示すブロック図である。
【図３Ｂ】図３Ｂは、実施の形態１にかかる情報処理装置のハードウェア構成例を示すブロック図である。
【図４】図４は、実施の形態１にかかるイヤホンスイッチ検出状態を示す図表である。
【図５】図５は、イヤホンマイクの半挿入状態を示す断面図である。（その１）
【図６】図６は、イヤホンマイクの半挿入状態を示す断面図である。（その２）
【図７】図７は、イヤホンマイクの半挿入状態におけるＭＩＣ端子の電圧状態を示す図表である。
【図８】図８は、実施の形態１にかかるイヤホンスイッチの検出電圧の設定状態を示す図表である。
【図９】図９は、実施の形態１にかかるイヤホンスイッチの検出処理例を示すフローチャートである。
【図１０】図１０は、実施の形態２にかかるイヤホンスイッチの検出電圧の設定状態を示す図表である。
【図１１】図１１は、実施の形態２にかかるイヤホンスイッチの検出処理例を示すフローチャートである。
【発明を実施するための形態】
【００１５】
（実施の形態１）
開示の情報処理装置の実施の形態１を詳細に説明する。図１は、実施の形態１にかかるイヤホンマイクの挿入状態を示す断面図である。図１は、イヤホンマイクの多極プラグ１００を情報処理装置側の多極コネクタ１１０に挿入した状態（正常挿入状態）を示す。情報処理装置は、例えば、ユーザが頭部に装着するイヤホンマイクの多極プラグ１００が挿抜されるスマートフォン等であり、イヤホンによる音楽視聴および通話音声の出力と、マイクによる通話音声の入力を行う。
【００１６】
多極プラグ１００は、先端側からイヤホンのＨＰＬ接点（ステレオＬ側）１０１、イヤホンのＨＰＲ接点１０２（ステレオＲ側）、ＤＥＴ接点（ＧＮＤ）１０３、マイク（ＭＩＣ）接点１０４、を有する。
【００１７】
多極コネクタ１１０は、コネクタ筐体１２０の奥側からＨＰＬ端子１１１、ＨＰＲ端子１１２、ＤＥＴ端子（ＧＮＤ）１１３、ＭＩＣ端子１１４、を可撓性のバネ端子で有する。
【００１８】
図１に示す挿入状態では、多極コネクタ１１０の各端子に、多極プラグ１００の対応する各接点が接触導通する（図中丸印の各部）。具体的には、多極コネクタ１１０のＨＰＬ端子１１１に多極プラグ１００のＨＰＬ接点１０１が接触する。また、多極コネクタ１１０のＨＰＲ端子１１２に多極プラグ１００のＨＰＲ接点１０２が接触する。また、多極コネクタ１１０のＤＥＴ端子１１３に多極プラグ１００のＤＥＴ接点１０３が接触する。また、多極コネクタ１１０のＭＩＣ端子１１４に多極プラグ１００のＭＩＣ接点１０４が接触する。
【００１９】
コネクタ筐体１２０は、一方に多極プラグ１００の挿抜のための開口部１２０ａを有し、他方に多極コネクタ１１０の各端子を外部に導出する外部端子１２０ｂを有する。多極プラグ１００は、コネクタ筐体１２０の開口部１２０ａを介して図中矢印方向に挿抜される。
【００２０】
図２は、実施の形態１にかかるイヤホンマイクの回路接続構成を示す図である。イヤホンマイク２００のＨＰＬ接点１０１は、イヤホン駆動体（ステレオＬ側）２０５を介してＧＮＤ（ＤＥＴ）接点１０３に接続され、ＨＰＲ接点１０２は、イヤホン駆動体（ステレオＲ側）２０６を介してＧＮＤ（ＤＥＴ）接点１０３に接続されている。ＭＩＣ接点１０４は、マイクロホン２０７を介してＧＮＤ（ＤＥＴ）接点１０３に接続されている。
【００２１】
イヤホンスイッチ２０１は、ＭＩＣ接点１０４とＧＮＤ（ＤＥＴ）接点１０３間に接続されている。イヤホンスイッチ２０１は、マイクロホン２０７、イヤホン駆動体２０５，２０６と共通ＧＮＤで並列接続されている。
【００２２】
符号２１０は、イヤホンマイク２００に対する電圧バイアス部である。電圧バイアス部２１０は、ＭＩＣ端子１１４に所定電圧（例えば１．８Ｖ）を印加する。
【００２３】
図３Ａは、実施の形態１にかかるイヤホンスイッチ検出部の内部構成例を示すブロック図である。イヤホンスイッチ検出部３００は、割り込み監視部３０１、イヤホン状態判定部３０２、端子電圧取得部３０３、スイッチ状態判定部３０４、スイッチ状態通知部３０５を含む。
【００２４】
割り込み監視部３０１は、多極コネクタ１１０のＤＥＴ（ＧＮＤ）端子１１３の接点の電圧変化時に第１の割り込み（イベント）を検出する。例えば、多極プラグ１００を挿入状態から抜去した場合、ＤＥＴ（ＧＮＤ）端子１１３の電圧は「Ｌ」→「Ｈ」に変化し、この電圧変化をＤＥＴ割り込みとして検出する。
【００２５】
また、割り込み監視部３０１は、ＤＥＴ割り込みがあった後、第２の割り込みを検出する。この第２の割り込み（イベント）は、
１．イヤホンマイク２００に設けられたイヤホンスイッチ２０１が操作（ＯＮ）された時（イヤホンスイッチ操作割り込み）
２．多極コネクタ１１０の半挿入状態が検出された時（誤検出判定用割り込み）
のいずれにおいても同様に発生する。
【００２６】
イヤホン状態判定部３０２は、割り込み監視部３０１による第１の割り込み時に、多極コネクタ１１０の挿入状態を判定する。この際、イヤホン状態判定部３０２は、ＤＥＴ端子１１３の電圧値（ＤＥＴ値）を図示しないメモリ等に保持する。
【００２７】
また、イヤホン状態判定部３０２は、上述したチャタリング除去機能を有し、チャタリング除去前後でＤＥＴ値に変化があるか否かを判断する。そして、ＤＥＴ値に変化があれば誤検出フラグをＯＦＦに設定し、ＤＥＴ値に変化がなければ誤検出フラグをＯＮに設定する。誤検出フラグは、スイッチ状態判定部３０４によるイヤホンスイッチ２０１のＯＮ／ＯＦＦの状態判定について、誤検出を含めて判定するために用いられる。
【００２８】
端子電圧取得部３０３は、ＭＩＣ端子１１４の電圧を取得する。スイッチ状態判定部３０４は、割り込み監視部３０１による第２の割り込み時に、イヤホンスイッチ２０１の状態（ＯＮ／ＯＦＦ）を判定する。この際、スイッチ状態判定部３０４は、端子電圧取得部３０３が取得したＭＩＣ端子１１４の電圧と、誤検出フラグの状態（ＯＮ／ＯＦＦ）の組み合わせに基づき、イヤホンスイッチ２０１の状態を判定することで、半挿入状態による誤検出を防ぐ。
【００２９】
スイッチ状態通知部３０５は、スイッチ状態判定部３０４が判定したイヤホンスイッチ２０１の状態を通知する。例えば、スイッチ状態通知部３０５は、スマートフォンの無線処理装置にイヤホンスイッチ２０１の操作状態を通知する。例えば、無線処理装置は、ユーザの通話状態においてイヤホンスイッチ２０１に基づく通話制御を行う。そして、多極プラグ１００の半挿入状態におけるイヤホンスイッチ２０１の状態の誤検出を防止することで不意な通話切断等の発生を防ぐ。
【００３０】
図３Ｂは、実施の形態１にかかる情報処理装置のハードウェア構成例を示すブロック図である。図３の例では、情報処理装置として汎用のスマートフォン等の携帯端末３１０を示している。携帯端末３１０は、ＣＰＵ（Ｃｅｎｔｒａｌ  Ｐｒｏｃｅｓｓｉｎｇ  Ｕｎｉｔ）３１１と、ＲＡＭ（Ｒａｎｄｏｍ  Ａｃｃｅｓｓ  Ｍｅｍｏｒｙ）３１２と、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）３１３と、パワーマネージメントＩＣ３１４と、ＡＤ変換器（ＡＤＣ：Ａｎａｌｏｇ  ｔｏ  Ｄｉｇｉｔａｌ  Ｃｏｎｖｅｒｔｅｒ）３１５と、ＬＣＤ３１６と、多極コネクタ１１０の各端子（ＤＥＴ端子１１３，ＭＩＣ端子１１４，ＨＰＬ端子１１１，ＨＰＲ端子１１２）と、無線処理装置３１７と、電源３１８と、スピーカ３１９を含む。
【００３１】
ＣＰＵ３１１は、携帯端末３１０全体の処理を統括制御する。また、実施の形態１におけるイヤホンスイッチ検出部３００の機能をプログラム実行することができる。図３Ａに示したイヤホンスイッチ検出部３００の機能は、ソフトウェア（プログラム）で構成できる。このイヤホンスイッチ検出のプログラムは、図３ＢのＥＥＰＲＯＭ３１３に格納保持しておくことができ、ＣＰＵ３１１がＥＥＰＲＯＭ３１３からプログラムを読み出し実行する。この際、ＣＰＵ３１１は、ＲＡＭ３１２をプログラム実行時のデータ作業エリアとして用いる。
【００３２】
電源３１８は、携帯端末３１０を構成する各機能部に動作電源を供給し、パワーマネージメントＩＣ３１４は、ＣＰＵ３１１の指示に基づき所定の機能部に対する供給電源の電圧等を制御する。ＡＤＣ３１５は、アナログ信号をＣＰＵ３１１が取り込み可能なデジタル信号に変換する。実施の形態１では、ＡＤＣ３１５を用いて端子電圧取得部３０３の機能、すなわち、ＭＩＣ端子１１４のアナログの電圧値をデジタル変換する。ＬＣＤ３１６は、携帯端末３１０の操作や通知内容を表示する表示画面である。無線処理装置３１７は、携帯端末３１０によるユーザの通話やデータ通信等にかかる無線通信処理を行う。実施の形態１では、無線処理装置３１７は、例えば、イヤホンスイッチ検出部３００からイヤホンスイッチ２０１の操作状態（ＯＮ／ＯＦＦ）の通知に基づく通話制御を行う通話制御部として機能する。
【００３３】
実施の形態１において、ＣＰＵ３１１によって機能実行されるイヤホンスイッチ検出部３００は、多極コネクタ１１０に対するイヤホンマイク２００の多極プラグ１００の挿入状態、および半挿入状態を判断する。そして、半挿入状態におけるイヤホンスイッチ２０１の状態の誤検出を防止し、イヤホンスイッチ２０１の操作状態を正確に判断し、例えば、無線処理装置３１７に通知する。これにより、無線処理装置３１７は、イヤホンスイッチ２０１の状態の誤検出を防ぎ、誤検出に基づく通話時の不意な通話切断等の発生を防ぐことができる。
【００３４】
図４は、実施の形態１にかかるイヤホンスイッチ検出状態を示す図表である。イヤホンスイッチ検出部３００によるイヤホンスイッチ２０１の操作検出状態を示す。図中横軸は時間、縦軸はＭＩＣ端子１１４の電圧値である。
【００３５】
イヤホンスイッチ検出部３００は、ＤＥＴ端子１１３の電圧値によって、携帯端末３１０の多極プラグ１００に対するイヤホンマイク２００の多極コネクタ１１０の挿入有無（例えば、１．８Ｖ：イヤホン未挿入、０Ｖ：イヤホン挿入）を検出する。
【００３６】
携帯端末３１０に対するイヤホンマイク２００の挿入後、イヤホンスイッチ検出部３００は、ＭＩＣ端子１１４の電圧レベルのチェックにより、イヤホンスイッチ２０１の操作（ＯＮ／ＯＦＦ）の有無を判断する。イヤホンスイッチ２０１がＯＮの場合、ＭＩＣ端子１１４の電圧レベルは図４の如くＬｏｗ（ＧＮＤレベル）まで低下する。したがって、イヤホンスイッチ検出部３００は、Ｈｉ／Ｌｏｗ用閾値（第１の閾値）Ｌを用いてＭＩＣ端子１１４の電圧がＨｉであればイヤホンスイッチ２０１がＯＦＦと判断し、ＭＩＣ端子１１４の電圧がＬｏｗであればイヤホンスイッチ２０１がＯＮと判断する。
【００３７】
図５および図６は、イヤホンマイクの半挿入状態を示す断面図である。図５に示す半挿入状態では、多極コネクタ１１０のＤＥＴ端子１１３に多極プラグ１００のＨＰＬ接点１０１が接触している。また、多極コネクタ１１０のＭＩＣ端子１１４に多極プラグ１００のＨＰＲ接点１０２が接触している。
【００３８】
図６に示す半挿入状態では、多極コネクタ１１０のＤＥＴ端子１１３に多極プラグ１００のＨＰＲ接点１０２が接触している。また、多極コネクタ１１０のＭＩＣ端子１１４に多極プラグ１００のＤＥＴ接点１０３が接触している。
【００３９】
図７は、イヤホンマイクの半挿入状態におけるＭＩＣ端子の電圧状態を示す図表である。図中横軸は時間、縦軸はＭＩＣ端子１１４端子の電圧値である。図５に示した半挿入状態時の電圧特性５０１と、図６に示した半挿入状態時の電圧値５０１，６０１と、正常時（図１に示す正常挿入状態）の電圧値の特性７０１をそれぞれ示す。
【００４０】
ＭＩＣ端子１１４には１．８Ｖが電圧印加されているとする。その状態で、ＭＩＣ接点１０４を有する多極プラグ１００を挿入すると（正常挿入状態）、多極プラグ１００内の抵抗により、ＭＩＣ端子１１４の電圧値７０１ｂは、図７に示すように１．３Ｖ程度まで降下する。
【００４１】
イヤホンスイッチ検出部３００において、ＭＩＣ端子１１４のＨｉ／Ｌｏｗ判断用のＨｉ／Ｌｏｗ用閾値Ｌは、例えば、０．９Ｖとしている。この場合、多極プラグ１００の正常挿入状態（正常時の電圧特性７０１）ではＨｉレベルとなり、イヤホンスイッチ２０１のスイッチＯＦＦが検出される。スイッチＯＮ時はＭＩＣ端子１１４の電圧は、０Ｖ付近まで降下する（電圧値７０１ａ）。
【００４２】
しかし、図５，図６に示したような半挿入状態では、スイッチＯＮもしくはＨＰＲ／ＤＥＴによる誤検出状態での特性線（電圧値）５０１，６０１は、いずれもＨｉ／Ｌｏｗ用閾値Ｌ（０．９Ｖ）を大きく下回るため信号レベルはＬｏｗとなる。この場合、イヤホンスイッチ２０１が（押下）操作されていなくても（ＯＮ／ＯＦＦにかかわらず）、スイッチＯＮ状態と判断することになる。
【００４３】
図５に示す半挿入状態では、ＭＩＣ端子１１４にＨＰＲ接点１０２が接触し（ＨＰＲ誤検出時）、ＤＥＴ端子１１３にＨＰＬ接点１０１が接触している。この状態では、ＭＩＣ端子１１４にはＨｉ／Ｌｏｗ用閾値ＬによりＬｏｗレベルが検出される。これは、マイクロホン２０７とイヤホン駆動体（ＨＰＬ）２０５との抵抗値が異なるためである。この際、ＨＰＬ接点１０１は、ＤＥＴ（ＧＮＤ）端子１１３に接続されており、ＭＩＣ端子１１４の電圧は変わらずＬｏｗレベルである。
【００４４】
同様に、図６に示す半挿入状態でも、ＭＩＣ端子１１４にＤＥＴ接点１０３が接触し（ＤＥＴ誤検出時）、ＤＥＴ端子１１３にＨＰＲ接点１０２が接触している。この状態においても、ＭＩＣ端子１１４にはＨｉ／Ｌｏｗ用閾値ＬによりＬｏｗレベルが検出される。この際、ＨＰＲ接点１０２は、ＤＥＴ（ＧＮＤ）端子１１３に接続されており、ＭＩＣ端子１１４の電圧は変わらずＬｏｗレベルである。
【００４５】
このように、図５，図６に示す多極プラグ１００の半挿入状態では、イヤホンスイッチ２０１を操作していない状態でも、イヤホンスイッチ２０１が操作（ＯＮ）されたと判断（誤検出）されてしまう。
【００４６】
図８は、実施の形態１にかかるイヤホンスイッチの検出電圧の設定状態を示す図表である。図中横軸は時間、縦軸はＭＩＣ端子１１４の電圧値である。多極プラグ１００が多極コネクタ１１０に正常挿入状態でイヤホンスイッチ２０１がＯＮ時には、ＧＮＤ接続のため、ＭＩＣ端子１１４の電圧は０Ｖ付近まで電圧低下する（電圧値７０１ａ）。
【００４７】
これに対し、ＨＰＲ誤検出時の電圧値５０１、およびＤＥＴ誤検出時の電圧値６０１は、ＧＮＤ接続ではなく各端子の内部抵抗による電圧降下により生じる。このため、これらの半挿入状態における電圧値５０１，６０１は、正常挿入状態でのイヤホンスイッチ２０１の操作（ＯＮ）時の電圧値７０１ａよりいずれも高い電圧値となる。
【００４８】
このため、実施の形態１では、イヤホン状態判定部３０２は、第２の割り込みを検出した後、ＭＩＣ端子１１４の信号レベル（電圧値）をＨｉ／Ｌｏｗ用閾値Ｌを用いてＬｏｗが検出された場合、イヤホンスイッチの状態の誤検出を防ぐ処理を行う。具体的には、正常挿入状態でのイヤホンスイッチ２０１の操作（ＯＮ）時の電圧値７０１ａより若干高い電圧値（例えば、２０ｍＶ（＝１４ｍＶ＋マージン６ｍＶ））を誤検出防止用閾値（第２の閾値）Ｌｘとして設定する。ここで、誤検出防止用閾値Ｌｘは、半挿入状態における電圧値５０１より低く設定する。
【００４９】
これにより、正常挿入状態でのイヤホンスイッチ２０１の操作（ＯＮ）時の電圧値７０１ａは、誤検出防止用閾値Ｌｘ以下で検出される。半挿入状態におけるＨＰＲ誤検出時の電圧値５０１およびＤＥＴ誤検出時の電圧値６０１は、誤検出防止用閾値Ｌｘ以上で検出される。すなわち、イヤホンスイッチ２０１の操作について、多極プラグ１００の正常挿入状態での実操作（ＯＮ）であるか、あるいは半挿入状態でのＨＰＲ誤検出またはＤＥＴ誤検出であるか、を判別できる。
【００５０】
図９は、実施の形態１にかかるイヤホンスイッチの検出処理例を示すフローチャートである。イヤホンスイッチ検出部３００の処理内容を説明する。図９の処理開始時、上述したように、ユーザはイヤホンマイク２００を頭部に装着し、イヤホン（イヤホン駆動体２０５，２０６）で音楽等を視聴中である状態であるとする。この際、イヤホンマイク２００の多極プラグ１００は、携帯端末３１０の多極コネクタ１１０の正常挿入状態で挿入されているとする。
【００５１】
はじめに、イヤホンスイッチ検出部３００は、割り込み監視部３０１により割り込み監視を行う（割り込み監視ＯＮ、ステップＳ９０１）。
【００５２】
そして、ユーザの音楽視聴中に電話着信があった場合など、ユーザがイヤホンマイク２００を使用せずに頭部から外し、携帯端末３１０のスピーカ３１９に直接耳を当てて通話するスタイルに変更したとする。この場合、ユーザは、多極コネクタ１１０から多極プラグ１００を抜く操作（イヤホン抜去）を行う。この際、イヤホンスイッチ検出部３００は、イヤホン抜去によるＤＥＴ割り込み（第１の割り込み）Ｄ１を検出し、ＤＥＴ（ＧＮＤ）端子１１３の電圧値（ＤＥＴ値）の変化を保存する（ステップＳ９０２）。そして、イヤホンスイッチ検出部３００は、チャタリング除去処理を行う（ステップＳ９０３）。
【００５３】
そして、イヤホンスイッチ検出部３００は、ステップＳ９０３のチャタリング除去処理前後でＤＥＴ値に変化があるか否かを判断する（ステップＳ９０４）。そして、ＤＥＴ値に変化があれば（ステップＳ９０４：Ｙｅｓ）、誤検出フラグをＯＦＦに設定する（ステップＳ９０５）。ＤＥＴ値に変化がなければ（ステップＳ９０４：Ｎｏ）、すなわち、チャタリング除去時間内でのＤＥＴ値の変化時には誤検出フラグをＯＮに設定する（ステップＳ９０６）。
【００５４】
この後、イヤホンスイッチ検出部３００は、第２の割り込みＤ２の発生を待つ。第２の割り込みＤ２は、イヤホンスイッチ２０１の操作（ＯＮ）によるイヤホンスイッチ操作割り込み、あるいは、多極コネクタ１１０の半挿入状態に起因する誤検出判定用割り込みである。
【００５５】
そして、第２の割り込みＤ２を検出すると、イヤホンスイッチ検出部３００は、ＭＩＣ端子１１４の信号レベル（電圧値）をチェックし、イヤホンスイッチ２０１の操作（ＯＮ）に相当するＨｉであるか判断する（ステップＳ９０７）。ＭＩＣ端子１１４の信号レベルがＨｉ／Ｌｏｗ用閾値Ｌを超え、Ｈｉであれば（ステップＳ９０７：Ｙｅｓ）、イヤホンスイッチ検出部３００は、ステップＳ９１０に移行する。
【００５６】
ＭＩＣ端子１１４の信号レベルがＨｉ／Ｌｏｗ用閾値ＬによりＬｏｗであれば（ステップＳ９０７：Ｎｏ）、イヤホンスイッチ検出部３００は、次に、誤検出フラグの状態がＯＮであるか判断する（ステップＳ９０８）。この際、誤検出フラグの状態がＯＮであれば（ステップＳ９０８：Ｙｅｓ）、イヤホンスイッチ検出部３００は、ＭＩＣ端子１１４の電圧値が誤検出防止用閾値Ｌｘ以下であるか判断する（ステップＳ９０９）。一方、誤検出フラグの状態がＯＦＦであれば（ステップＳ９０８：Ｎｏ）、ステップＳ９１３に移行する。
【００５７】
ステップＳ９０９において、ＭＩＣ端子１１４の電圧値が誤検出防止用閾値Ｌｘ以下であれば（ステップＳ９０９：Ｙｅｓ）、イヤホンスイッチ検出部３００は、ステップＳ９１１に移行する。ＭＩＣ端子１１４の電圧値が誤検出防止用閾値Ｌｘを超えていれば（ステップＳ９０９：Ｎｏ）、ステップＳ９１２に移行する。
【００５８】
ステップＳ９１０〜ステップＳ９１３では、イヤホンスイッチ検出部３００は、それぞれイヤホンスイッチ２０１の操作状態を判定出力する。ステップＳ９１０では、ＭＩＣ端子１１４の信号レベル（電圧値）がＨｉ／Ｌｏｗ用閾値Ｌを超えＨｉである。このため、イヤホンスイッチ検出部３００は、イヤホンスイッチ２０１がＯＦＦと判断する（ステップＳ９１０、図７参照）。
【００５９】
ステップＳ９１１では、ＭＩＣ端子１１４の信号レベル（電圧値）がＨｉ／Ｌｏｗ用閾値ＬによりＬｏｗ、誤検出フラグがＯＮ、ＭＩＣ端子１１４の電圧値が誤検出防止用閾値Ｌｘ以下である。このため、イヤホンスイッチ検出部３００は、イヤホンスイッチ２０１がＯＮと判断する（ステップＳ９１１）。このとき、イヤホンマイク２００は正常挿入状態であり、ＭＩＣ端子１１４の電圧値は、図８の７０１ａに相当する。
【００６０】
ステップＳ９１２では、ＭＩＣ端子１１４の信号レベル（電圧値）がＨｉ／Ｌｏｗ用閾値ＬによりＬｏｗ、誤検出フラグがＯＮ、ＭＩＣ端子１１４の電圧値が誤検出防止用閾値Ｌｘを超える。このため、イヤホンスイッチ検出部３００は、イヤホンスイッチ２０１の状態の誤検出と判断する（ステップＳ９１２）。この際、イヤホンスイッチ検出部３００は、第２の割り込みＤ２が多極コネクタ１１０の半挿入状態に起因した誤検出判定用割り込みであり、誤検出であると判断する。そして、イヤホンスイッチ検出部３００は、無線処理装置３１７に対しイヤホンスイッチＯＮ／ＯＦＦの通知を行わない（特別な処理を行わず、それまでの処理を継続させる）。このとき、イヤホンマイク２００は半挿入状態であり、ＭＩＣ端子１１４の電圧値は、図８の電圧値５０１，６０１に相当する。
【００６１】
ステップＳ９１３では、ＭＩＣ端子１１４の信号レベル（電圧値）がＨｉ／Ｌｏｗ用閾値ＬによりＬｏｗ、誤検出フラグがＯＦＦであるため、イヤホンスイッチ検出部３００は、イヤホンスイッチ２０１がＯＮと判断する（ステップＳ９１３、図７参照）。
【００６２】
イヤホンスイッチ検出部３００は、ステップＳ９１０〜ステップＳ９１３によるイヤホンスイッチ２０１のＯＮ／ＯＦＦの判断結果を携帯端末３１０の無線処理装置３１７に通知する。無線処理装置３１７は、イヤホンスイッチ２０１のＯＮ／ＯＦＦの通知を受けて通話状態を制御する。この際、イヤホンスイッチ検出部３００が多極プラグ１００の半挿入状態に起因するイヤホンスイッチ２０１の状態の誤検出と判断した際には、ステップＳ９１２に示すように無線処理装置３１７に通知処理せず、それまでの処理を継続させる。これにより、半挿入状態によるイヤホンスイッチ２０１の誤検出に起因して無線処理装置３１７が通話処理を切断する等の問題を未然に防ぐことができるようになる。
【００６３】
実施の形態１によれば、イヤホンマイクに設けられたイヤホンスイッチのＯＮ／ＯＦＦをＭＩＣ端子の電圧値を閾値を用いて検出するのに加えて、イヤホンマイクの多極プラグと多極コネクタとの接触状態を端子（ＤＥＴ）電圧で判断する。これにより、多極コネクタに対する多極プラグが半挿入状態であってもイヤホンスイッチのＯＮ／ＯＦＦを判断できるようになる。
【００６４】
イヤホンスイッチがＯＮ状態となった時（半挿入状態でもイヤホンスイッチＯＮの状態が発生）、ＭＩＣ端子の電圧を検出し、正常挿入状態と半挿入状態とを判別する所定の閾値（誤検出防止用閾値）を用いてイヤホンスイッチのＯＮ／ＯＦＦを判断する。
【００６５】
これにより、イヤホンマイクの多極プラグの多極コネクタに対する挿入状態にかかわらず、半挿入状態であったとしても、イヤホンスイッチのＯＮ／ＯＦＦを正確に判断できるようになる。また、多極プラグが正常挿入状態から半挿入状態にすばやく（チャタリング除去時間内で）変化した場合でも、装置に対するイヤホン（多極プラグ）の接続状態を検出できる。
【００６６】
そして、イヤホンスイッチのＯＮ／ＯＦＦの通知を受ける通話制御部では、イヤホンスイッチのＯＮ／ＯＦＦの通知に基づき正しい通話制御が行える。例えば、半挿入状態での誤検出と判断したときには、イヤホンスイッチの操作の有無を通話制御部に通知せず、通話中に不意に通話切断される等の恐れを未然に回避できるようになる。通話制御部は、イヤホンスイッチのＯＮ／ＯＦＦの通知に基づいて各種の通話制御を実行するが、イヤホンスイッチのＯＮ／ＯＦＦを正確に検出した通知に基づき、通話制御を正しく実行できる。
【００６７】
（実施の形態２）
図１０は、実施の形態２にかかるイヤホンスイッチの検出電圧の設定状態を示す図表である。イヤホンマイク２００の多極プラグ１００が多極コネクタ１１０に正常挿入状態時のイヤホンスイッチ２０１の実操作（ＯＦＦ）と、ＨＰＲ／ＤＥＴ誤検出時での電圧差分（マージン）は小さい（図８参照）。このため、実施の形態１のように、スイッチ検出閾値Ｌｘを所定電圧に設定しただけでは、ノイズの影響を受けた場合、正しい判断が行えない可能性がある。
【００６８】
実施の形態２では、図１０に示すようにスイッチ誤検出判断時のみ、ＭＩＣ端子１１４にかける電圧を一時的に上昇させ、ノイズによる判断への影響を受けにくくする。例えば、実施の形態１の１．８Ｖに対して１．５倍の２．７Ｖとしている。具体的には、ＣＰＵ３１１（イヤホンスイッチ検出部３００のイヤホン状態判定部３０２）がイヤホンスイッチ２０１の状態の誤検出の有無を判断する所定期間、パワーマネージメントＩＣ３１４を制御して、電圧バイアス部２１０に対する印加電圧を上昇させる。実施の形態２では、パワーマネージメントＩＣ３１４がＭＩＣ端子１１４への印加電圧を制御する電圧制御部として機能させる。
【００６９】
これにより、ＤＥＴ誤検出時の電圧値６０１と誤検出防止用閾値Ｌｘの電圧（例えば、２１ｍＶ＋６ｍＶ＝２７ｍＶ）とのマージンが１２ｍＶになるため、ノイズの影響を受けにくくなり、誤検出であることを正確に判断できるようになる。すなわち、ＤＥＴ誤検出時の電圧値６０１およびＨＰＲ誤検出時の電圧値５０１と、正常挿入状態の時の電圧値７０１ａと、を容易に分離して正確に判断できるようになる。
【００７０】
図１１は、実施の形態２にかかるイヤホンスイッチの検出処理例を示すフローチャートである。イヤホンスイッチ検出部３００の処理内容を説明する。図１１において、実施の形態１（図９）と同一の処理内容には同一の符号を付しており、実施の形態２では、ＭＩＣ端子１１４にかける電圧を一時的に上昇させる処理（ステップＳ１１０１〜ステップＳ１１０３）を追加している。
【００７１】
ステップＳ９０１〜ステップＳ９０６の処理後、第２の割り込みＤ２を検出すると、イヤホンスイッチ検出部３００は、ＭＩＣ端子１１４の信号レベル（電圧値）をチェックし、イヤホンスイッチ２０１の操作（ＯＮ）に相当するＨｉであるか判断する（ステップＳ９０７）。ＭＩＣ端子１１４の信号レベルがＨｉ／Ｌｏｗ用閾値ＬによりＨｉであれば（ステップＳ９０７：Ｙｅｓ）、イヤホンスイッチ検出部３００は、ステップＳ９１０に移行する。
【００７２】
ＭＩＣ端子１１４の信号レベルがＨｉ／Ｌｏｗ用閾値ＬによりＬｏｗであれば（ステップＳ９０７：Ｎｏ）、イヤホンスイッチ検出部３００は、次に、誤検出フラグの状態がＯＮであるか判断する（ステップＳ９０８）。この際、誤検出フラグの状態がＯＮであれば（ステップＳ９０８：Ｙｅｓ）、イヤホンスイッチ検出部３００は、ＭＩＣ端子１１４にかける電圧を上昇させる（ステップＳ１１０１）。そして、この際のＭＩＣ端子１１４の電圧値を取得する（ステップＳ１１０２）。取得した電圧値は一時的にメモリ（例えばＲＡＭ３１２）に記憶しておき、この後、イヤホンスイッチ検出部３００は、ＭＩＣ端子１１４にかける電圧を元に戻す（ステップＳ１１０３）。
【００７３】
この後、イヤホンスイッチ検出部３００は、メモリ（例えばＲＡＭ３１２）に記憶しておいたＭＩＣ端子１１４の電圧値が誤検出防止用閾値Ｌｘ以下であるか判断する（ステップＳ９０９）。一方、誤検出フラグの状態がＯＦＦであれば（ステップＳ９０８：Ｎｏ）、ステップＳ９１３に移行する。
【００７４】
ステップＳ９０９において、ＭＩＣ端子１１４の電圧値が誤検出防止用閾値Ｌｘ以下であれば（ステップＳ９０９：Ｙｅｓ）、イヤホンスイッチ検出部３００は、ステップＳ９１１に移行する。ＭＩＣ端子１１４の電圧値が誤検出防止用閾値Ｌｘを超えていれば（ステップＳ９０９：Ｎｏ）、ステップＳ９１２に移行する。
【００７５】
ステップＳ９１０〜ステップＳ９１３では、実施の形態１同様に、イヤホンスイッチ検出部３００は、それぞれイヤホンスイッチ２０１の操作状態を判定出力する。
【００７６】
上記処理によれば、ステップＳ１１０１〜ステップＳ１１０３の処理でＭＩＣ端子１１４にかける電圧を一時的に上昇させ、この電圧上昇時の電圧を誤検出防止用閾値Ｌｘを用いてイヤホンスイッチ２０１の状態の誤検出の有無を判断している。これにより、誤検出防止用閾値Ｌｘのマージンを増加でき、ノイズが生じても誤検出（ＨＰＲ誤検出およびＤＥＴ誤検出）の有無を正確に判断でき、ノイズによる誤検出の判断精度への影響を防ぐことができる。
【００７７】
ところで、イヤホンマイク２００の多極プラグ１００が多極コネクタ１１０に正常挿入状態で接続された状態の時、ＭＩＣ端子１１４の電圧を上昇させると、マイクロホン２０７の動作に影響（例えば、ユーザが意図しない集音音量の増加等）が生じる。このため、実施の形態２では、上記のように、イヤホン抜去検出のチャタリング除去処理を動作させた場合にだけ（ステップＳ９０７：ＮｏでかつステップＳ９０８：Ｙｅｓの時のみ）一時的にＭＩＣ端子１１４の電圧を上昇させる。これにより、マイクロホン２０７自体の誤動作を抑止できるようになる。
【００７８】
実施の形態２においても実施の形態１同様に、イヤホンマイクの多極プラグの多極コネクタに対する挿入状態にかかわらず、半挿入状態であったとしても、イヤホンスイッチのＯＮ／ＯＦＦを正確に判断できるようになる。そして、イヤホンスイッチのＯＮ／ＯＦＦに基づき正しい通話制御が行え、通話中に不意に通話切断される等の恐れを未然に回避できるようになる。
【００７９】
そして、実施の形態２では、イヤホンスイッチ誤検出判断時のみ、ＭＩＣ端子にかける電圧を一時的に上昇させ、ノイズによる判断への影響を受けにくくし、誤検出をより抑制できる。これにより、イヤホンマイクの多極プラグが多極コネクタに正常挿入状態時のイヤホンスイッチの操作時（ＯＮ）時の電圧と、ＨＰＲ／ＤＥＴ誤検出時での電圧の差分（マージン）を増加でき、誤検出防止用閾値を容易に設定できる。そして、誤検出防止用閾値を用いてイヤホンスイッチの状態を誤検出することなく、より精度良く判断できるようになる。
【００８０】
上述した実施の形態に関し、さらに以下の付記を開示する。
【００８１】
（付記１）イヤホンと、マイクロホンと、イヤホンスイッチと、を有するイヤホンマイクの多極プラグが多極コネクタに接続される情報処理装置において、
マイク端子の電圧に基づき、前記イヤホンスイッチの操作の有無を判断する第１の閾値と、
前記イヤホンスイッチのＯＮ状態に相当するイベント検出時の前記マイク端子の電圧により、前記多極プラグが前記多極コネクタに半挿入状態となった際の前記イヤホンスイッチの誤検出を判断する所定電圧に設定した第２の閾値と、
に基づき、前記イヤホンスイッチの操作の有無を判断するイヤホンスイッチ検出部、
を備えたことを特徴とする情報処理装置。
【００８２】
（付記２）前記イヤホンスイッチ検出部は、
前記第２の閾値を、前記多極プラグが前記多極コネクタに正常挿入状態で前記イヤホンスイッチのＯＮ時に検出される前記マイク端子の電圧と、前記半挿入状態の時に検出される前記マイク端子の電圧との間の電圧に設定した、
ことを特徴とする付記１に記載の情報処理装置。
【００８３】
（付記３）前記イヤホンスイッチ検出部は、
前記イベントを、前記イヤホンマイクの前記多極プラグが前記多極コネクタから抜去された際の前記多極プラグのＧＮＤ端子の電圧変化に基づき検出する監視部を備えた、
ことを特徴とする付記１または２に記載の情報処理装置。
【００８４】
（付記４）前記イヤホンスイッチ検出部は、
前記第２の閾値を用いた前記イヤホンスイッチの操作の有無の判断時に、一時的に前記マイク端子の印加電圧を所定分上昇させ、前記第２の閾値との間にマージンをもたせる電圧制御部を有する、
ことを特徴とする付記２または３に記載の情報処理装置。
【００８５】
（付記５）前記イヤホンスイッチ検出部は、
前記イヤホンマイクの前記多極プラグが前記多極コネクタから抜去された際にチャタリング除去処理を行い、
前記チャタリング除去処理後に、前記電圧制御部により一時的に前記マイク端子の電圧を上昇させた期間中に前記イヤホンスイッチの操作の有無を判断する、
ことを特徴とする付記４に記載の情報処理装置。
【００８６】
（付記６）前記イヤホンスイッチ検出部は、
前記イヤホンマイクの前記多極プラグが前記多極コネクタから抜去された際の前記チャタリング除去処理の前後における前記多極プラグのＧＮＤ端子の電圧変化の有無に対応した誤検出フラグを設定し、
前記マイク端子の電圧に対する前記第１の閾値を用いた判断結果と、前記誤検出フラグと、前記マイク端子の電圧に対する前記第２の閾値を用いた判断結果と、に基づき、前記イヤホンスイッチの誤検出を判断する、
ことを特徴とする付記５に記載の情報処理装置。
【００８７】
（付記７）前記イヤホンスイッチは、前記マイクロホンおよび前記イヤホンに対し、共通のＧＮＤで並列接続され、
前記多極コネクタの半挿入状態により、前記イヤホンスイッチ検出部は、
前記多極コネクタのＧＮＤ端子に前記多極プラグの一方のステレオイヤホン接点が接触し、前記多極コネクタのマイク端子に前記多極プラグの他方のステレオイヤホン接点が接触することで前記マイク端子電圧の低下を検出し、
および、前記多極コネクタのＧＮＤ端子に前記多極プラグの一方のステレオイヤホン接点が接触し、前記多極コネクタの前記マイク端子に前記多極プラグのＧＮＤ接点が接触することで前記マイク端子電圧の低下を検出する、
ことを特徴とする付記１〜６のいずれか一つに記載の情報処理装置。
【００８８】
（付記８）前記イヤホンスイッチ検出部は、
前記判断結果として、前記イヤホンスイッチの操作の有無を情報処理装置内の通話制御部に通知する通知部を有し、
前記通話制御部は、通知された前記イヤホンスイッチの操作の有無に基づき通話制御を行うこと、
を特徴とする付記１〜７のいずれか一つに記載の情報処理装置。
【００８９】
（付記９）前記イヤホンスイッチ検出部は、
前記イヤホンスイッチのＯＮ状態が、前記多極コネクタの半挿入状態に基づく場合、誤検出と判断し、前記通話制御部に対して前記イヤホンスイッチの操作の有無の通知を行わない、
ことを特徴とする付記８に記載の情報処理装置。
【符号の説明】
【００９０】
１００  多極プラグ
１０１  ＨＰＬ接点（ステレオＬ側）
１０２  ＨＰＲ接点（ステレオＲ側）
１０３  ＤＥＴ接点（ＧＮＤ）
１０４  ＭＩＣ接点
１１０  多極コネクタ
１１１  ＨＰＬ端子
１１２  ＨＰＲ端子
１１３  ＤＥＴ端子（ＧＮＤ）
１１４  ＭＩＣ端子
２００  イヤホンマイク
２０１  イヤホンスイッチ
２０５  イヤホン駆動体（ステレオＬ側）
２０６  イヤホン駆動体（ステレオＲ側）
２０７  マイクロホン
２１０  電圧バイアス部
３００  イヤホンスイッチ検出部
３０１  割り込み監視部
３０２  イヤホン状態判定部
３０３  端子電圧取得部
３０４  スイッチ状態判定部
３０５  スイッチ状態通知部
３１０  携帯端末
３１１  ＣＰＵ
３１２  ＲＡＭ
３１３  ＥＥＰＲＯＭ
３１４  パワーマネージメントＩＣ
３１５  ＡＤＣ
３１６  ＬＣＤ
３１７  無線処理装置
３１８  電源
３１９  スピーカ
Ｌ  Ｈｉ／Ｌｏｗ用閾値（第１の閾値）
Ｌｘ  誤検出防止用閾値（第２の閾値）
【図１】
2017085253.tif 000003
【図２】
2017085253.tif 000004
【図３Ａ】
2017085253.tif 000005
【図３Ｂ】
2017085253.tif 000006
【図４】
2017085253.tif 000007
【図５】
2017085253.tif 000008
【図６】
2017085253.tif 000009
【図７】
2017085253.tif 000010
【図８】
2017085253.tif 000011
【図９】
2017085253.tif 000012
【図１０】
2017085253.tif 000013
【図１１】
2017085253.tif 000014